(57)【要約】【課題】階段も居住空間として活用できる階段構造を提供する。【解決手段】特定の部位が生活スペース拡張部Ｓ、例えば段板Ｆを外方に延伸しその延伸部を階段ソファー６としてなる階段リビングＬや、段板Ｆの下方の空間を階段書斎１や子供部屋としてなる階段構造Ｋである。延伸部は各階の部屋へのアクセスとしても機能するようにされている。【選択図】図１
2014091963.tif 000002
【特許請求の範囲】
【請求項１】
特定の部位が生活スペース拡張部とされてなることを特徴とする階段構造。
【請求項２】
段板の一部が外方に延伸されて生活スペース拡張部とされてなることを特徴とする請求項１記載の階段構造。
【請求項３】
生活スペース拡張部が、各階の部屋へのアクセスとして機能するようにされてなることを特徴とする請求項２記載の階段構造。
【請求項４】
生活スペース拡張部が階段ソファーとされてなることを特徴とする請求項２記載の階段構造。
【請求項５】
段板下方のスペースが生活スペース拡張部とされてなることを特徴とする請求項１記載の階段構造。
【請求項６】
生活スペース拡張部が階段書斎または子供部屋とされてなることを特徴とする請求項５記載の階段構造。
【請求項７】
段板が通気性を有する素材から構成されてなることを特徴とする請求項１記載の階段構造。
【請求項８】
段板が透光性を有する素材から構成されてなることを特徴とする請求項１記載の階段構造。
【請求項９】
透光性を有する素材がガラスまたは合成樹脂とされてなることを特徴とする請求項８記載の階段構造。
【請求項１０】
生活スペース拡張部を構成する段板の一部が、棒、棒状の物、紐、紐状の物、網または網状の物とされてなることを特徴とする請求項２記載の階段構造。
【請求項１１】
屋根裏部屋を有する請求項１ないし１０のいずれか一項に記載の階段構造を備える住宅であって、前記屋根裏部屋の屋根に採光窓が設けられてなることを特徴とする住宅。
【請求項１２】
屋根裏部屋を有する請求項７に記載の階段構造を備える住宅であって、一階の下部および前記屋根裏部屋に前記階段構造を空気流路とする通気口がそれぞれ設けられてなることを特徴とする住宅。  
【発明の詳細な説明】
【技術分野】
【０００１】
本発明は階段構造に関する。さらに詳しくは、居住機能を付与してなる階段構造に関する。
【背景技術】
【０００２】
従来より、二階建以上の住宅においては、上の階との昇降のために階段が設けられている。この階段は住宅において大きなスペースを占有しているところから、この階段の昇降以外の活用の検討がなされている。
【０００３】
例えば、特許文献１には、通風および移動のための空間が建物内部に上下方向に延びるようにして設けられた住宅において、その空間の上部に透光性を有する部位が設けられた住宅が提案されている。
【０００４】
特許文献２には、下階から上階に吹き抜ける吹き抜け空間を形成する壁部に、下階から階高より高い収納棚が、前記壁部と同じ幅で、かつ、下階から上階を跨ぐように前記壁部から突出して設けられ、前記壁部には、窓が前記収納棚に隣接して前記収納棚の上方に設けられ、地窓が前記収納棚に隣接して前記収納棚の下方に設けられ、前記吹き抜け空間に、下階から上階に至る螺旋階段が前記収納棚に近接して設けられてなる階段設置構造が提案されている。
【０００５】
特許文献３には、踊り場を有する階段を備える３階以上の建物の空間構造であって、最下階の床面から最上階の天井面までに渡って鉛直空間が形成され、該鉛直空間には、手摺部に沿って半透明の目隠し部材が設けられた前記階段が設けられ、前記踊り場の階段昇降方向と平面視で平行する辺に連続する中間床部が前記鉛直空間内の少なくとも１階と２階の中間および２階と３階の中間に設けられ、前記中間床部の間の高さは居室と略同一となるように設けられ、前記中間床部と前記階段および前記居室との間には手摺部が設けられるとともに、前記居室には前記中間床部に対して前記階段を挟む位置に手摺部に沿って半透明の目隠し部材が設けられた床面が設けられた建物の空間構造が提案されている。
【０００６】
しかしながら、前記いずれの提案においても階段により居住空間が減少させられている点が改善されていないという問題がある。
【先行技術文献】
【特許文献】
【０００７】
【特許文献１】特開平１０−２６６５９３号公報
【特許文献２】特許第４８５１７２８号公報
【特許文献３】特許第４３８８９７１号公報
【発明の開示】
【発明が解決しようとする課題】
【０００８】
本発明はかかる従来技術の課題に鑑みなされたものであって、階段も居住空間として活用できる階段構造を提供することを目的としている。
【課題を解決するための手段】
【０００９】
本発明の階段構造は、特定の部位が生活スペース拡張部とされてなることを特徴とする。
【００１０】
本発明の階段構造においては、段板の一部が外方に延伸されて生活スペース拡張部とされてなるのが好ましい。その場合、生活スペース拡張部が、各階の部屋へのアクセスとして機能するようにされたり、生活スペース拡張部が階段ソファーとされたりするのがさらに好ましい。
【００１１】
また、本発明の階段構造においては、段板下方のスペースが生活スペース拡張部とされてなるのも好ましい。その場合、生活スペース拡張部が階段書斎または子供部屋とされてなるのがさらに好ましい。
【００１２】
また、本発明の階段構造においては、段板が通気性を有する素材から構成されてなるも好ましい。その場合、通気性を有する素材がパンチングメタルとされてなるのがさらに好ましい。
【００１３】
また、本発明の階段構造においては、段板が透光性を有する素材から構成されてなるのが好ましい。その場合、透光性を有する素材がガラスまたは合成樹脂とされてなるのがさらに好ましい。
【００１４】
また、本発明の階段構造においては、生活スペース拡張部を構成する段板の一部が、棒、棒状の物、紐、紐状の物、網または網状の物とされてなるのが好ましい。
【００１５】
しかして、本発明の階段構造を備える住宅にあっては、屋根裏部屋を有し、その屋根に採光窓が設けられてなるのが好ましい。あるいは、段板がパンチングメタルなどの通気性を有する段板による構成されている場合には、一階の下部および屋根裏部屋に前記階段構造を空気流路とする通気口がそれぞれ設けられてなるのが好ましい。
【発明の効果】
【００１６】
本発明は前記の如く構成されているので、階段を備えているにもかかわらず、住宅における居住スペースを広げることができるという優れた効果を奏する。
【図面の簡単な説明】
【００１７】
【図１】本発明の実施形態１に係る階段構造が適用されてなる住宅構造の説明図である。
【図２】同要部概略斜視図である。
【図３】本発明の実施形態２に係る階段構造が適用されてなる住宅構造の説明図である。
【発明を実施するための形態】
【００１８】
以下、添付図面を参照しながら本発明を実施形態に基づいて説明するが、本発明はかかる実施形態のみに限定されるものではない。
【００１９】
実施形態１
本発明の実施形態１に係る階段構造Ｋを図１および図２に示す。
【００２０】
階段構造Ｋは、図１に示すように、ラセン階段Ｒとされて住宅の中央部に配設される。      
【００２１】
ここで、ラセン階段Ｒは一巻で上階に上がるように構成されている。
【００２２】
階段構造Ｋにおいては、特定の部位が生活スペース拡張部Ｓとされる。
例えば、図２に示すように、ラセン階段Ｒが一階の中庭から上がるようにされ、一階の階段の上り口が中庭に面するようにされるとともに、上り口に隣接させて生活スペース拡張部Ｓが形成されている。
【００２３】
ここで、生活スペース拡張部Ｓは、具体的には、階段書斎１とされる。つまり、上り口に隣接させて板の間２を形成するとともに、段板Ｆの下の空間に書架３を形成してなるものとされる。
【００２４】
このようにすることにより、中庭を眺めながら読書を楽しむことができて生活の質が向上する。
【００２５】
また、本実施形態では、図１に示すように、段板Ｆの一部が外方に延伸されて生活スペース拡張部Ｓが形成されている。この生活スペース拡張部Ｓは、各階の部屋とのアクセスとしても機能するようにされている。
【００２６】
ここで、生活スペース拡張部Ｓは、具体的には、階段ソファー６とされて階段リビングＬとして機能するようにされている。階段リビングＬとしての機能を充実すべく、階段ソファー６の前面の壁には、図示はされていないが、壁スクリーンが形成されている。
【００２７】
なお、階段ソファー６が形成されている箇所は、図示はされていないが、転落防止の対策が適宜なされている。
【００２８】
このようにすることにより、リビングを特段に設ける必用がなくなり、リビング用スペースを他の用途に振り向けることができる。また、リビングを階段リビングＬとすることにより、上下階でのコミュニケーションが活発となり、家族間の意思の疎通が図られる。
【００２９】
実施形態２
本発明の実施形態２に係る階段構造Ｋを図３に示す。
【００３０】
実施形態２は実施形態１を改変してなるものであって、段板Ｆを図示はされていないが、パンチングメタルにより構成して通気性をもたせるとともに一階に下部および屋根裏部屋にそれぞれ通気口１１，１２を設け、また、屋根裏部屋の屋根に採光窓１４を設けてなるものとされる。
【００３１】
このようにすることにより、住宅内の換気向上が図られるとともに、階段リビングＬの採光性も向上し、照明に要する電力消費が節約され節電効果が図られる。
【００３２】
以上、本発明を実施形態に基づいて説明してきたが、本発明はかかる実施形態のみに限定されるものではなく、種々改変が可能である。
【００３３】
例えば、実施形態１では、一階の階段の上り口に隣接された生活スペース拡張部Ｓは階段書斎１とされているが、子供部屋とすることもできる。
【００３４】
また、段板Ｆは透明の強化ガラスや合成樹脂などの透光性素材により作製されてもよい。
【００３５】
また、この生活スペース拡張部Ｓを構成する段板の一部は、棒、棒状の物、紐、紐状の物、網、網状の物とされてもよい。
【産業上の利用可能性】
【００３６】
本発明は住宅産業に適用できる。
【符号の説明】
【００３７】
Ｋ        階段構造
Ｆ        段板
Ｌ        階段リビング
Ｒ        ラセン階段
Ｓ        生活スペース拡張部
１        階段書斎
２        板の間
３        書架
６        階段ソファー
１１        通気口
１２        通気口
１４        採光窓
【図１】
2014091963.tif 000003
【図２】
2014091963.tif 000004
【図３】
2014091963.tif 000005